【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
被検者の脳画像を入力し、画像処理して診断結果を提示することにより診断の支援を行なう脳疾患の診断支援方法であって、
統計的手法により、疾患毎の関心領域であるＲＯＩを、標準化脳画像上のボクセルの集合として決定する段階と、
入力された被検者の脳画像と、予め用意されている健常者の脳画像との統計的比較を、標準化脳画像上において前記ＲＯＩを適用して行なう段階と、
得られた統計的比較結果を診断支援情報として数量的に提示する段階と、を含むことを特徴とする脳疾患の診断支援方法。
【請求項２】
前記統計的比較を、脳全体に対して併せて行ない、前記ＲＯＩを適用して得られた比較結果と、脳全体に関する比較結果をそれぞれ診断支援情報とすることを特徴とする請求項１に記載の脳疾患の診断支援方法。
【請求項３】
前記統計的比較を、ボクセル毎にＺスコアを算出して行ない、Ｚスコアに基づいて該ボクセルが異常か否かを判定することを特徴とする請求項１又は２に記載の脳疾患の診断支援方法。
【請求項４】
異常と判定されたボクセルを計数し、該ボクセル数を前記統計的比較結果に含めることを特徴とする請求項３に記載の脳疾患の診断支援方法。
【請求項５】
異常と判定されたボクセルのＺスコアの平均を算出し、該平均値を前記統計的比較結果に含めることを特徴とする請求項３に記載の脳疾患の診断支援方法。
【請求項６】
前記脳画像が、ＭＲＩ脳画像であることを特徴とする請求項１乃至５のいずれか１項に記載の脳疾患の診断支援方法。
【請求項７】
被検者のＭＲＩ脳画像を入力した後、
該ＭＲＩ脳画像から灰白質組織を抽出して灰白質脳画像を作成し、
該灰白質脳画像に解剖学的標準化を施した後、前記統計的比較を行なうことを特徴とする請求項６に記載の脳疾患の診断支援方法。
【請求項８】
被検者のＭＲＩ脳画像を入力した後、
該ＭＲＩ脳画像に、解剖学的標準化を施し、
該標準化後のＭＲＩ脳画像から灰白質組織を抽出して灰白質脳画像を作成した後、前記統計的比較を行なうことを特徴とする請求項６に記載の脳疾患の診断支援方法。
【請求項９】
被検者のＭＲＩ脳画像を入力し、画像処理して診断結果を提示することによりアルツハイマー型痴呆に対する診断の支援を行なう脳疾患の診断支援方法であって、
統計的手法により、アルツハイマー型痴呆の関心領域であるＲＯＩを、標準化脳画像上のボクセルの集合として決定する段階と、
入力された被検者の脳画像と、予め用意されている健常者の脳画像との統計的比較を、標準化脳画像上において前記ＲＯＩを適用して行なう段階と、
該統計的比較の結果異常と判定されたボクセルのＺスコアの平均値を、診断支援情報として提示する段階と、を含むことを特徴とする脳疾患の診断支援方法。
【請求項１０】
被検者の脳画像を入力し、画像処理して診断結果を出力することにより診断の支援を行なう脳疾患の診断支援装置であって、
統計的手法により、標準化脳画像上のボクセルの集合として決定された、疾患毎の関心領域であるＲＯＩを保存する保存手段と、
入力された被検者の脳画像と、予め作成されている健常者の脳画像との統計的比較を、標準化脳画像上において前記保存手段から読み出した診断対象の疾患についてのＲＯＩを適用して行い、比較結果を表すいくつかの指標となる値を算出する画像・統計処理手段と、
前記統計的比較結果を診断支援情報として表示する結果表示手段と、を備えていることを特徴とする脳疾患の診断支援装置。
【請求項１１】
前記統計的比較を、脳全体に対して併せて行ない、前記ＲＯＩを適用して得られた比較結果と、脳全体に関する比較結果をそれぞれ診断支援情報とすることを特徴とする請求項１０に記載の脳疾患の診断支援装置。
【請求項１２】
前記統計的比較を、ボクセル毎にＺスコアを算出して行ない、Ｚスコアに基づいて該ボクセルが異常か否かを判定することを特徴とする請求項１０又は１１に記載の脳疾患の診断支援装置。
【請求項１３】
異常と判定されたボクセルを計数し、該ボクセル数を前記統計的比較結果に含めることを特徴とする請求項１２に記載の脳疾患の診断支援装置。
【請求項１４】
異常と判定されたボクセルのＺスコアの平均を算出し、該平均値を前記統計的比較結果に含めることを特徴とする請求項１２に記載の脳疾患の診断支援装置。
【請求項１５】
前記脳画像が、ＭＲＩ脳画像であることを特徴とする請求項１０乃至１４のいずれか１項に記載の脳疾患の診断支援装置。
【請求項１６】
被検者のＭＲＩ脳画像を入力した後、
該ＭＲＩ脳画像から灰白質組織を抽出して灰白質脳画像を作成し、
該灰白質脳画像に解剖学的標準化を施した後、前記統計的比較を行なうことを特徴とする請求項１５に記載の脳疾患の診断支援装置。
【請求項１７】
被検者のＭＲＩ脳画像を入力した後、
該ＭＲＩ脳画像に、解剖学的標準化を施し、
該標準化後のＭＲＩ脳画像から灰白質組織を抽出して灰白質脳画像を作成した後、前記統計的比較を行なうことを特徴とする請求項１５に記載の脳疾患の診断支援装置。
【請求項１８】
請求項１乃至９に記載の脳疾患の診断支援方法をコンピュータで実施するためのコンピュータ読取可能なプログラム。
【請求項１９】
請求項１０乃至１７に記載の脳疾患の診断支援装置をコンピュータで実現するためのコンピュータ読取可能なプログラム。
【請求項２０】
請求項１８又は１９に記載のプログラムが格納された記録媒体。
【手続補正２】
【補正対象書類名】明細書
【補正対象項目名】００１１
【補正方法】変更
【補正の内容】
【００１１】
本発明は、被検者の脳画像を入力し、画像処理して診断結果を提示することにより診断の支援を行なう脳疾患の診断支援方法であって、統計的手法により、疾患毎の関心領域であるＲＯＩを、標準化脳画像上のボクセルの集合として決定する段階と、入力された被検者の脳画像と、予め用意されている健常者の脳画像との統計的比較を、標準化脳画像上において前記ＲＯＩを適用して行なう段階と、得られた統計的比較結果を診断支援情報として数量的に提示する段階と、を含むことにより、前記課題を解決したものである。
【手続補正３】
【補正対象書類名】明細書
【補正対象項目名】００１２
【補正方法】変更
【補正の内容】
【００１２】
本発明は、又、被検者の脳画像を入力し、画像処理して診断結果を出力することにより診断の支援を行なう脳疾患の診断支援装置であって、統計的手法により、標準化脳画像上のボクセルの集合として決定された、疾患毎の関心領域であるＲＯＩを保存する保存手段と、入力された被検者の脳画像と、予め作成されている健常者の脳画像との統計的比較を、標準化脳画像上において前記保存手段から読み出した診断対象の疾患についてのＲＯＩを適用して行い、比較結果を表すいくつかの指標となる値を算出する画像・統計処理手段と、前記統計的比較結果を診断支援情報として表示する結果表示手段と、を備えていることにより、同様に前記課題を解決したものである。
【手続補正４】
【補正対象書類名】明細書
【補正対象項目名】００７３
【補正方法】変更
【補正の内容】
【００７３】
なお、このようにＺスコアを使用する場合には、ボクセル毎に上記平均値と標準偏差のデータだけを持っていればよいので、データ作成後は画像データ自体を保存しておく必要がないという利点もある。
【手続補正５】
【補正対象書類名】明細書
【補正対象項目名】００８２
【補正方法】変更
【補正の内容】
【００８２】
Ｐ1＝ｋROI
Ｐ2＝ｋROI／ｋALL…脳全体に対するＲＯＩ部分での式（６）を満たすボクセル数の
割合
Ｐ3＝ＭＥＡＮROI
Ｐ4＝ＭＥＡＮROI／ＭＥＡＮALL…脳全体に対するＲＯＩ部分での式（６）を満たす
Ｚスコアの平均の割合
【手続補正６】
【補正対象書類名】図面
【補正対象項目名】図１４
【補正方法】変更
【補正の内容】
【図１４】
2005237441.tif 000001
【手続補正７】
【補正対象書類名】図面
【補正対象項目名】図１６
【補正方法】変更
【補正の内容】
【図１６】
2005237441.tif 000002
【手続補正８】
【補正対象書類名】図面
【補正対象項目名】図１７
【補正方法】変更
【補正の内容】
【図１７】
2005237441.tif 000003
【手続補正９】
【補正対象書類名】図面
【補正対象項目名】図１８
【補正方法】変更
【補正の内容】
【図１８】
2005237441.tif 000004